(57)【要約】【課題】  ユーザーが正確な時刻をセットすることが可能な時刻調整表示を行う電気泳動表示装置等を提供する。【解決手段】  入力された基準信号１２０をカウントして時刻を計時し、時刻情報１２２を出力する計時カウンター２と、外部入力を検出してその結果を外部入力情報として出力する外部入力検出部４と、一対の基板間に電気泳動粒子を含む電気泳動素子を狭持し、画像を表示する表示部３と、計時カウンターと表示部とを制御する制御部１とを含み、制御部は時刻情報に基づいて表示部に時刻表示をさせる通常表示制御と、表示部に通常表示制御では表示させない調整用画像を表示させる時刻調整表示制御を行い、外部入力情報に基づいて、通常表示制御と時刻調整表示制御とを切り替え、時刻調整表示制御を行う場合には、外部入力情報に基づいて計時カウンターの計時を停止させ、計時カウンターの値を調整する。【選択図】図１
2011191497.tif 000002
【特許請求の範囲】
【請求項１】
電気泳動表示装置であって、
入力された基準信号をカウントして時刻を計時し、時刻情報を出力する計時カウンターと、
外部入力を検出して、その結果を外部入力情報として出力する外部入力検出部と、
一対の基板間に電気泳動粒子を含む電気泳動素子を狭持し、画像を表示する表示部と、
計時カウンターと前記表示部とを制御する制御部と、を含み、
前記制御部は、
前記時刻情報に基づいて前記表示部に時刻表示をさせる通常表示制御と、前記表示部に前記通常表示制御では表示させない調整用画像を表示させる時刻調整表示制御を行い、
前記外部入力情報に基づいて、前記通常表示制御と前記時刻調整表示制御とを切り替え、
前記時刻調整表示制御を行う場合には、前記外部入力情報に基づいて、前記計時カウンターの値を調整する、電気泳動表示装置。
【請求項２】
請求項１に記載の電気泳動表示装置において、
前記制御部は、
前記通常表示制御においては、秒桁を非表示とし、
前記時刻調整表示制御においては、数値が固定された秒桁を含めた前記調整用画像を表示させる、電気泳動表示装置。
【請求項３】
請求項２に記載の電気泳動表示装置において、
前記制御部は、
前記時刻調整表示制御においては、前記外部入力情報に基づいて、前記秒桁として前記表示部に０秒を表示させ、前記計時カウンターの秒桁の値を０秒に固定し、秒桁以外の前記計時カウンターの値を調整する、電気泳動表示装置。
【請求項４】
請求項１乃至３のいずれかに記載の電気泳動表示装置を含む電子機器。
【請求項５】
入力された基準信号をカウントして時刻を計時し、時刻情報を出力する計時カウンターと、外部入力を検出して、その結果を外部入力情報として出力する外部入力検出部と、一対の基板間に電気泳動粒子を含む電気泳動素子を狭持し、画像を表示する表示部と、を含む電気泳動表示装置の駆動方法であって、
前記時刻情報に基づいて前記表示部に時刻表示をさせる通常表示工程と、
前記表示部に前記通常表示工程では表示させない調整用画像を表示させる時刻調整表示工程と、
前記外部入力情報に基づいて、前記通常表示工程と前記時刻調整表示工程とを切り替える工程とを含み、
前記時刻調整表示工程は、
前記外部入力情報に基づいて、前記計時カウンターの値を調整する、電気泳動表示装置の駆動方法。
【請求項６】
請求項５に記載の電気泳動表示装置の駆動方法において、
前記通常表示工程は、秒桁を非表示とし、
前記時刻調整表示工程は、数値が固定された秒桁を含めた前記調整用画像を表示させる、電気泳動表示装置の駆動方法。
【請求項７】
請求項６に記載の電気泳動表示装置の駆動方法において、
前記時刻調整表示工程は、
前記外部入力情報に基づいて、前記秒桁として前記表示部に０秒を表示させ、前記計時カウンターの秒桁の値を０秒に固定し、秒桁以外の前記計時カウンターの値を調整する、電気泳動表示装置の駆動方法。
【発明の詳細な説明】
【技術分野】
【０００１】
本発明は、電気泳動表示装置、電気泳動表示装置の駆動方法、電子機器等に関する。
【背景技術】
【０００２】
近年、電源を切っても画像を保持できるメモリー性を有する表示パネルが開発され、電子時計等にも使用されている。メモリー性を有する表示パネルとしては、ＥＰＤ（Electrophoretic Display）すなわち電気泳動表示装置や、メモリー性液晶表示装置等が知られている。例えば、電気泳動表示装置は、メモリー性という性質の他にも、視野角の広さ、コントラストの高さ、柔軟性などの優れた利点がある。
【０００３】
電気泳動表示装置により時刻表示を行う場合、消費電力を抑えるために、秒桁の表示を意図的に行わない場合がある。電気泳動表示装置は、そのメモリー性により表示を維持するので、表示の更新時以外は電力を消費しない。秒桁を省略することで、１分に１度だけ時刻表示を更新すればよいため、消費電力を抑えることができる。
【０００４】
また、特許文献１によると、電気泳動表示装置は温度が低いと電気泳動粒子の移動度が低くなる。低温（例えば−１０℃）の使用環境下で秒桁を表示した場合、電気泳動粒子の移動が１秒毎の表示の更新に追従できず、秒桁の表示が不正確になる可能性がある。このとき、電気泳動表示装置の故障であるとの誤解をユーザーに与える恐れがある。このことからも、秒桁の表示を行わないことに意味がある。
【先行技術文献】
【特許文献】
【０００５】
【特許文献１】特表２００７−５０１４３６号公報
【発明の概要】
【発明が解決しようとする課題】
【０００６】
しかし、電気泳動表示装置に表示される時刻は、初期化時などにユーザーによって設定（時刻合わせ）される必要がある。時刻合わせの際に秒桁が表示されない場合、ユーザーは秒まで含む正確な時刻をセットすることができないため問題となる。
【０００７】
本発明はこのような問題点に鑑みてなされたものである。本発明のいくつかの態様によれば、ユーザーが正確な時刻をセットできる時刻調整表示を行う電気泳動表示装置等を提供することができる。
【課題を解決するための手段】
【０００８】
（１）本発明は、電気泳動表示装置であって、入力された基準信号をカウントして時刻を計時し、時刻情報を出力する計時カウンターと、外部入力を検出して、その結果を外部入力情報として出力する外部入力検出部と、一対の基板間に電気泳動粒子を含む電気泳動素子を狭持し、画像を表示する表示部と、計時カウンターと前記表示部とを制御する制御部と、を含み、前記制御部は、前記時刻情報に基づいて前記表示部に時刻表示をさせる通常表示制御と、前記表示部に前記通常表示制御では表示させない調整用画像を表示させる時刻調整表示制御を行い、前記外部入力情報に基づいて、前記通常表示制御と前記時刻調整表示制御とを切り替え、前記時刻調整表示制御を行う場合には、前記外部入力情報に基づいて、前記計時カウンターの値を調整する。
【０００９】
本発明によれば、計時カウンターと表示部とを制御する制御部は、表示部に時刻表示をさせる通常表示制御と、表示部に通常表示制御では表示させない調整用画像を表示させる時刻調整表示制御とを行う。そして、時刻調整表示制御を行う場合に、外部入力により計時カウンターの値の調整ができる。このとき、通常表示制御では表示させない調整用画像が表示される。例えば、調整用画像として時刻表示の秒桁が含まれる場合、通常表示制御においては秒桁を表示させずに消費電力を抑え、時刻調整表示制御においては秒桁に基づいてユーザーが正確な時刻合わせをすることを可能にする。また、例えば、調整用画像として時刻表示の一部を指し示すカーソルが含まれる場合、通常表示制御においてはカーソルを表示させずに視認性のよい時刻表示を行い、時刻調整表示制御においてはユーザーに時刻の部分変更を可能にさせる。このような調整用画像によって、ユーザーは計時カウンターの値を正確に調整することができる。
【００１０】
ここで、画像とは図形のみならず、文字や数字、記号なども含めた広範な画像を意味する。特に、アクティブマトリックス駆動方式の電気泳動表示装置では、図形や文字、数字、記号などの様々な画像を自由に表示することが可能である。
【００１１】
（２）この電気泳動表示装置において、前記制御部は、前記通常表示制御においては、秒桁を非表示とし、前記時刻調整表示制御においては、数値が固定された秒桁を含めた前記調整用画像を表示させてもよい。
【００１２】
本発明によれば、通常表示制御では秒桁が非表示であり、時刻調整表示制御では秒桁として固定された数値を表示する。通常の時刻表示においては秒桁を表示させずに消費電力を抑える。時刻調整表示制御では秒桁を表示させるがその値は固定された数値であるため、通常表示制御と同様に消費電力を抑えることができる。また、時刻調整表示制御では秒桁が表示されていることで、ユーザーは秒まで含めた正確な時刻合わせが可能になる。
【００１３】
（３）この電気泳動表示装置において、前記制御部は、前記時刻調整表示制御においては、前記外部入力情報に基づいて、前記秒桁として前記表示部に０秒を表示させ、前記計時カウンターの秒桁の値を０秒に固定し、秒桁以外の前記計時カウンターの値を調整してもよい。
【００１４】
本発明によれば、時刻調整表示制御では秒桁には０秒が表示され、同時に計時カウンターの秒の値も０秒にリセットされる。そして、秒以外の計時カウンターの値は外部入力により調整が可能である。秒桁がリセットされているために、ユーザーはより容易に正確な時刻合わせをすることができる。
【００１５】
（４）本発明は、前記電気泳動表示装置を含む電子機器であってもよい。
【００１６】
本発明によれば、ユーザーが正確な時刻をセットすることが可能な時刻調整表示を行う電気泳動表示装置を含む電子機器を提供できる。
【００１７】
（５）本発明は、入力された基準信号をカウントして時刻を計時し、時刻情報を出力する計時カウンターと、外部入力を検出して、その結果を外部入力情報として出力する外部入力検出部と、一対の基板間に電気泳動粒子を含む電気泳動素子を狭持し、画像を表示する表示部と、を含む電気泳動表示装置の駆動方法であって、前記時刻情報に基づいて前記表示部に時刻表示をさせる通常表示工程と、前記表示部に前記通常表示工程では表示させない調整用画像を表示させる時刻調整表示工程と、前記外部入力情報に基づいて、前記通常表示工程と前記時刻調整表示工程とを切り替える工程とを含み、前記時刻調整表示工程は、前記外部入力情報に基づいて、前記計時カウンターの値を調整する。
【００１８】
本発明によれば、表示部に時刻表示をさせる通常表示工程と、表示部に通常表示工程では表示させない調整用画像を表示させる時刻調整表示工程とを行う。そして、時刻調整表示工程では、外部入力により計時カウンターの値の調整ができる。このとき、通常表示工程では表示させない調整用画像が表示される。例えば、調整用画像として時刻表示の秒桁が含まれる場合、通常表示工程においては秒桁を表示させずに消費電力を抑え、時刻調整表示工程においては秒桁に基づいてユーザーが正確な時刻合わせをすることを可能にする。また、例えば、調整用画像として時刻表示の一部を指し示すカーソルが含まれる場合、通常表示工程においてはカーソルを表示させずに視認性のよい時刻表示を行い、時刻調整表示工程においてはユーザーに時刻の部分変更を可能にさせる。このような調整用画像によって、ユーザーは計時カウンターの値を正確に調整することができる。
【００１９】
（６）この電気泳動表示装置の駆動方法において、前記通常表示工程は、秒桁を非表示とし、前記時刻調整表示工程は、数値が固定された秒桁を含めた前記調整用画像を表示させてもよい。
【００２０】
本発明によれば、通常表示工程では秒桁が非表示であり、時刻調整表示工程では秒桁として固定された数値を表示する。通常の時刻表示においては秒桁を表示させずに消費電力を抑える。時刻調整表示工程では秒桁を表示させるがその値は固定された数値であるため、通常表示工程と同様に消費電力を抑えることができる。また、時刻調整表示工程では秒桁が表示されていることで、ユーザーは秒まで含めた正確な時刻合わせが可能になる。
【００２１】
（７）この電気泳動表示装置の駆動方法において、前記時刻調整表示工程は、前記外部入力情報に基づいて、前記秒桁として前記表示部に０秒を表示させ、前記計時カウンターの秒桁の値を０秒に固定し、秒桁以外の前記計時カウンターの値を調整してもよい。
【００２２】
本発明によれば、時刻調整表示工程では秒桁には０秒が表示され、同時に計時カウンターの秒の値も０秒にリセットされる。そして、秒以外の計時カウンターの値は外部入力により調整が可能である。秒桁がリセットされているために、ユーザーはより容易に正確な時刻合わせをすることができる。
【図面の簡単な説明】
【００２３】
【図１】第１実施形態における電気泳動表示装置のブロック図。
【図２】第１実施形態における電気泳動表示装置の別のブロック図。
【図３】第１実施形態における電気泳動表示装置の画素の構成例を示す図。
【図４】図４（Ａ）は電気泳動素子の構成例を示す図。図４（Ｂ）、図４（Ｃ）は電気泳動素子の動作の説明図。
【図５】第１実施形態における計時カウンターの構成例を示す図。
【図６】図６（Ａ）は第１実施形態における通常表示モードの表示例を示す図。図６（Ｂ）は第１実施形態における時刻調整表示モードの表示例を示す図。
【図７】図７（Ａ）〜図７（Ｆ）は図６（Ｂ）の時刻調整表示モードにおける遷移および表示例を示す図。
【図８】第１実施形態におけるフローチャート。
【図９】図９（Ａ）は電子機器の一例である腕時計の図、図９（Ｂ）は電子機器の一例である携帯端末機器の図。
【発明を実施するための形態】
【００２４】
以下、本発明の実施形態について図面を参照して説明する。
【００２５】
１．第１実施形態
本発明の第１実施形態について図１〜図８を参照して説明する。
【００２６】
１．１．電気泳動表示装置の構成
図１は、本実施形態に係る電気泳動表示装置１００のブロック図である。
【００２７】
電気泳動表示装置１００は、制御部１、計時カウンター２、表示部（ＥＰＤ）３、外部入力検出部４を含む。
【００２８】
計時カウンター２は、入力された基準信号１２０をカウントして時刻を計時し、時刻情報１２２を出力する。ここで、基準信号１２０は、例えば１Ｈｚのクロックである。電気泳動表示装置１００は、発振回路（図外）と、発振回路からの出力信号を分周して１Ｈｚのクロックを生成する分周回路（図外）とを含んでいてもよい。
【００２９】
表示部３は、一対の基板間に電気泳動粒子を含む電気泳動素子を狭持し、画像を表示する。ここで、画像とは図形のみならず、文字や数字、記号なども含めた広範な画像を意味する。本実施形態では、アクティブマトリックス駆動方式の電気泳動表示装置１００であるとして、図形や文字、数字、記号などの様々な画像を自由に表示することが可能である。なお、本発明の駆動方式はアクティブマトリックス方式に限らず、セグメント方式であってもよい。
【００３０】
外部入力検出部４は、外部入力４４、４６、４７、４８（以下、外部入力４４等と表記する）を検出して、その結果を外部入力情報１２４、１２６、１２７、１２８（以下、外部入力情報１２４等と表記する）として出力する。なお、外部入力の数は任意であり、４つに限るものではない。
【００３１】
制御部１は、時刻情報１２２や外部入力情報１２４等に基づいて、計時カウンター２と表示部３とを、それぞれ制御信号１３２、制御信号１３０によって制御する。制御部１は、計時カウンター２の値を変更したり、計時カウンター２がカウントすることを許可したり、停止したりしてもよい。また、制御部１は、外部入力情報１２４等に基づいて定められる表示モードを切り替えることで、表示部３に表示する画像を変更してもよい。
【００３２】
本実施形態では、制御部１は少なくとも通常表示制御と時刻調整表示制御とを行う。通常表示制御は、表示部３に時刻情報１２２に基づいて時刻表示を行う場合の制御である。時刻調整表示制御は、ユーザーが外部入力４４等によって計時カウンター２の値を調整する場合の制御である。
【００３３】
制御部１は、表示制御回路１０とコントローラー１２を含んでいてもよい。ここで、表示制御回路１０は、表示部３に所望の画像を表示させる制御信号１３０を出力する回路であってもよい。コントローラー１２は、時刻情報１２２や外部入力情報１２４等に基づいて、計時カウンターを制御する制御信号１３２や表示制御回路１０に対する内部信号１３４を出力する機能ブロックであってもよい。なお、コントローラー１２はＣＰＵであってもよい。
【００３４】
図２は、本実施形態に係るアクティブマトリックス駆動方式の電気泳動表示装置１００
のブロック図である。ここでは、計時カウンター２と外部入力検出部４については記載を省略し、制御部１と表示部３との接続等について詳しく述べる。
【００３５】
電気泳動表示装置１００は、複数の画素４０が配列された表示部３を含む。制御部１は表示部３を制御する。制御部１は、走査線駆動回路６１、データ線駆動回路６２、コントローラー１２、共通電源変調回路６４を含む。ここで、本実施形態では、走査線駆動回路６１、データ線駆動回路６２、共通電源変調回路６４が表示制御回路１０を構成する。
【００３６】
走査線駆動回路６１、データ線駆動回路６２，共通電源変調回路６４は、それぞれコントローラー１２と接続されている。コントローラー１２は、時刻情報１２２や外部入力情報１２４等のみならず、図外から供給される時刻情報以外の画像信号や同期信号に基づいて、これらを総合的に制御する。なお、コントローラー１２は、記憶部１６０を含んでいてもよい。記憶部１６０は、ＳＲＡＭ、ＤＲＡＭ、ＥＥＰＲＯＭ、その他のメモリーであってもよいし、一部にＲＯＭを含んでもよい。記憶部１６０は、表示部３に表示させる画像情報を記憶していてもよい。
【００３７】
表示部３は、表示制御回路１０（走査線駆動回路６１、データ線駆動回路６２、共通電源変調回路６４）からの制御信号に基づいて、例えば、時刻を１０：０８のように表示する。表示部３には、走査線駆動回路６１から延びる複数の走査線６６と、データ線駆動回路６２から延びる複数のデータ線６８とが形成されており、これらの交差位置に対応して画素４０が設けられている。
【００３８】
走査線駆動回路６１は、ｍ本の走査線６６（Ｙ１、Ｙ２、…、Ｙｍ）により各画素４０に接続されている。走査線駆動回路６１は、コントローラー１２の制御に従って１行目からｍ行目までの走査線６６を順次選択することで、画素４０に設けられた駆動用ＴＦＴ４１（図３参照）のオンタイミングを規定する選択信号を供給する。
【００３９】
データ線駆動回路６２は、ｎ本のデータ線６８（Ｘ１、Ｘ２、…、Ｘｎ）により各画素４０に接続されている。データ線駆動回路６２は、コントローラー１２の制御に従って、画素４０のそれぞれに対応する１ビットの画像データを規定する画像信号を画素４０に供給する。なお、本実施形態では、画素データ「０」を規定する場合には、ローレベルの画像信号を画素４０に供給し、画像データ「１」を規定する場合には、ハイレベルの画像信号を画素４０に供給するものとする。
【００４０】
表示部３には、また、共通電源変調回路６４から延びる低電位電源線４９（Ｖｓｓ）、高電位電源線５０（Ｖｄｄ）、共通電極配線５５（Ｖｃｏｍ）、第１の制御線９１（Ｓ１）、第２の制御線９２（Ｓ２）が設けられており、それぞれの配線は画素４０と接続されている。共通電源変調回路６４は、コントローラー１２の制御に従って上記配線のそれぞれに供給する各種信号を生成する一方、これら各配線の電気的な接続及び切断（ハイインピーダンス化、Ｈｉ−Ｚ）を行う。
【００４１】
１．２．画素部分の回路構成
図３は、図２の画素４０の回路構成図である。
【００４２】
画素４０には、駆動用ＴＦＴ（Thin Film Transistor）４１と、ラッチ回路７０と、スイッチ回路８０が設けられている。画素４０は、ラッチ回路７０により画像信号を電位として保持するＳＲＡＭ（Static Random Access Memory）方式の構成をとる。なお、図２と同じ配線には同じ番号を付しており、説明は省略する。また、全画素に共通の共通電極配線５５については記載を省略している。
【００４３】
駆動用ＴＦＴ４１は、Ｎ−ＭＯＳトランジスタからなる画素スイッチング素子である。駆動用ＴＦＴ４１のゲート端子は走査線６６に接続され、ソース端子はデータ線６８に接続され、ドレイン端子はラッチ回路７０のデータ入力端子に接続されている。ラッチ回路７０は転送インバーター７０ｔと帰還インバーター７０ｆとを備えている。インバーター７０ｔ、７０ｆには、低電位電源線４９（Ｖｓｓ）と高電位電源線５０（Ｖｄｄ）から電源電圧が供給される。
【００４４】
スイッチ回路８０は、トランスミッションゲートＴＧ１、ＴＧ２からなり、ラッチ回路７０に記憶された画素データのレベルに応じて、画素電極３５（図４（Ｂ）、図４（Ｃ）参照）に信号を出力する。図３のＶａは、１つの画素４０の画素電極へ供給される電位（信号）を意味する。ここで、本実施形態では、アクティブマトリックス駆動方式の電気泳動表示装置１００を用いるため、電気泳動表示装置１００の駆動電極は画素電極である。よって、画素電極という名称を用いて説明する。なお、駆動電極は画素電極ではなく、セグメント電極であってもよい。
【００４５】
ラッチ回路７０に画像データ「１」（ハイレベルの画像信号）が記憶されて、トランスミッションゲートＴＧ１がオン状態となると、スイッチ回路８０はＶａとして電位Ｓ１を供給する。一方、ラッチ回路７０に画像データ「０」（ローレベルの画像信号）が記憶されて、トランスミッションゲートＴＧ２がオン状態となると、スイッチ回路８０はＶａとして電位Ｓ２を供給する。このような回路構成により、制御部１はそれぞれの画素４０の画素電極に対して供給する電位（信号）を制御することが可能である。なお、画素４０の回路構成は一例であり、図３に示すものに限られない。
【００４６】
１．３．表示方式
本実施形態の電気泳動表示装置１００は、二粒子系マイクロカプセル型の電気泳動方式であるとする。分散液は無色透明、泳動粒子は白色又は黒色であるとすると、電気泳動表示装置１００は、白色又は黒色の２色を基本色として少なくとも２色を表示可能である。
【００４７】
図４（Ａ）は、本実施形態の電気泳動素子３２の構成を示す図である。電気泳動素子３２は素子基板３０と対向基板３１（図４（Ｂ）、図４（Ｃ）参照）との間に挟まれている。電気泳動素子３２は、複数のマイクロカプセル２０を配列して構成される。マイクロカプセル２０は、例えば無色透明な分散液と、複数の白色粒子（電気泳動粒子）２７と、複数の黒色粒子（電気泳動粒子）２６とを封入している。本実施形態では、例えば白色粒子２７は負に帯電しており、黒色粒子２６は正に帯電しているとする。
【００４８】
図４（Ｂ）は、電気泳動表示装置１００の表示部３の部分断面図である。素子基板３０と対向基板３１は、マイクロカプセル２０を配列してなる電気泳動素子３２を狭持している。表示部３は、素子基板３０の電気泳動素子３２側に、複数の画素電極３５が形成された駆動電極層３５０を含む。図４（Ｂ）では、画素電極３５として画素電極３５Ａと画素電極３５Ｂが示されている。画素電極３５により、画素ごとに電位を供給することが可能である（例えば、Ｖａ、Ｖｂ）。ここで、画素電極３５Ａを有する画素を画素４０Ａとし、画素電極３５Ｂを有する画素を画素４０Ｂとする。画素４０Ａ、画素４０Ｂは画素４０（図２、図３参照）のうちの２つの画素である。
【００４９】
一方、対向基板３１は透明基板であり、表示部３において対向基板３１側に画像表示がなされる。表示部３は、対向基板３１の電気泳動素子３２側に、平面形状の共通電極３７が形成された共通電極層３７０を含む。なお、共通電極３７は透明電極である。共通電極３７は、画素電極３５と異なり全画素に共通の電極であり、電位Ｖｃｏｍが供給される。
【００５０】
共通電極層３７０と駆動電極層３５０との間に設けられた電気泳動表示層３６０に電気泳動素子３２が配置されており、電気泳動表示層３６０が表示領域となる。共通電極３７と画素電極（例えば、３５Ａ、３５Ｂ）との間の電位差に応じて、画素毎に所望の表示色を表示させることができる。
【００５１】
図４（Ｂ）では、共通電極側電位Ｖｃｏｍが画素４０Ａの画素電極の電位Ｖａよりも高電位である。このとき、負に帯電した白色粒子２７が共通電極３７側に引き寄せられ、正に帯電した黒色粒子２６が画素電極３５Ａ側に引き寄せられるため、画素４０Ａは白を表示していると視認される。
【００５２】
図４（Ｃ）では、共通電極側電位Ｖｃｏｍが画素４０Ａの画素電極の電位Ｖａよりも低電位である。このときは逆に、正に帯電した黒色粒子２６が共通電極３７側に引き寄せられ、負に帯電した白色粒子２７が画素電極３５Ａ側に引き寄せられるため、画素４０Ａは黒を表示していると視認される。なお、図４（Ｃ）の構成は図４（Ｂ）と同様である。
【００５３】
１．４．計時カウンター
図５は、第１実施形態における計時カウンター２の構成例を示す。
【００５４】
本実施形態の計時カウンター２は、時刻情報１２２の構成要素である時刻情報１２２Ａ〜１２２Ｆを出力する。ここで、時刻情報とは、年、月、日・週についての情報（カレンダー情報）も含めた総称として用いるとする。
【００５５】
本実施形態の計時カウンター２は、具体的には、秒カウンター２０１、分カウンター２０２、時カウンター２０３、日・週カウンター２０４、月カウンター２０５、年カウンター２０６を含む。それぞれのカウンターが保持する時刻情報１２２Ａ〜１２２Ｆは、時刻情報１２２として制御部１に出力される。
【００５６】
また、制御部１は、カウンター値調整信号１３２Ａ〜１３２Ｆによって、カウンター２０１〜２０６のそれぞれの値を変更することができる。ここで、カウンター値調整信号１３２Ａ〜１３２Ｆは、制御部１からの制御信号１３２を構成する信号である。カウンター値調整信号１３２Ａ〜１３２Ｆは、カウンター２０１〜２０６の値を直接書き込む信号でもよいし、インクリメント又はデクリメントする信号であってもよい。また、カウンター２０１〜２０６を個別にリセットする、すなわち値を０にする信号であってもよい。
【００５７】
カウンター２０１〜２０６は、それぞれ、秒桁上げ信号２２０、分桁上げ信号２２１、時桁上げ信号２２２、日・週桁上げ信号２２３、月桁上げ信号２２４、年桁上げ信号２２５によってインクリメントされる。本実施形態では、桁上げ信号２２１〜２２５は、正論理の信号であり、基準信号１２０と下位のカウンターからの桁上げ許可信号２１１〜２１５との論理積をとった信号である。なお、秒桁上げ信号２２０は、基準信号１２０と制御部１からのイネーブル信号１３２Ｇ（制御信号１３２を構成する信号の１つ）との論理積をとった信号である。よって、制御部１は、イネーブル信号１３２Ｇをローレベルとすることで、計時カウンター２の動作を停止させることができる。なお、計時カウンター２の構成は一例であり、図５に示すものに限られない。
【００５８】
１．５．表示モード
図６（Ａ）は、通常表示モードＭ１における電気泳動表示装置１００の表示例を示す。通常表示モードＭ１とは、制御部１が通常表示制御を行う場合の表示モードである。表示モードが通常表示モードＭ１のときは、表示部３には計時カウンター２からの時刻情報１２２に基づく時刻表示が行われる。本実施形態では、表示モードとして時刻調整表示モードＭ２も定められており、表示モードが時刻調整表示モードＭ２のときは、図６（Ｂ）のような表示が行われる。
【００５９】
本実施形態では、電気泳動表示装置１００は外部入力として操作ボタンＡ（４４）、操作ボタンＣ（４６）、操作ボタンＤ（４７）、操作ボタンＥ（４８）を備える。操作ボタンＡ、Ｃ、Ｄ、Ｅは、図１の外部入力検出部４におけるスイッチ４４、４６、４７、４８にそれぞれ対応する。操作ボタンＡ、Ｃ、Ｄ、Ｅが押されると、それぞれについて、外部入力情報１２４、１２６、１２７、１２８として制御部１に伝えられる。
【００６０】
本実施形態では、通常表示モードＭ１から時刻調整表示モードＭ２への移行は、例えば操作ボタンＥ（４８）を押すことで行われる（Ｃ１）。そして、操作ボタンＡ（４４）を押すことで、時刻調整表示モードＭ２から通常表示モードＭ１へと戻る（Ｃ２）。なお、操作ボタンと表示モードの切り替えの対応はこの例に限らない。操作ボタンＡと操作ボタンＥの割り当てが逆でも、他の操作ボタンが用いられてもよい。
【００６１】
図６（Ｂ）は、時刻調整表示モードＭ２における電気泳動表示装置１００の表示例を示す。時刻調整表示モードＭ２とは、制御部１が時刻調整表示制御を行う場合の表示モードである。表示モードが時刻調整表示モードＭ２のときは、表示部３には、ユーザーが外部入力４４等によって計時カウンター２の値を調整することを可能にする画像が表示される。例えば、通常表示モードＭ１では表示されない、調整の対象を示すカーソル７６や秒桁７４の表示がされてもよい。ユーザーは、例えば、操作ボタンＥ（４８）でカーソル７６を動かし、操作ボタンＣ（４６）や操作ボタンＤ（４７）によって時刻合わせを行った後に、操作ボタンＡ（４４）を押して通常表示モードＭ１に戻ってもよい。そして、操作ボタンＡを押したタイミングで、調整された値に基づいて計時カウンター２がカウントを始めてもよい。
【００６２】
前記のように、秒桁７４は消費電力を抑えるために、また、低温環境下の使用で故障との誤解を生じさせないように、通常表示モードＭ１では非表示とすることが好ましい。また、カーソル７６を通常表示モードＭ１で表示する場合には、時刻表示等と区別するために点滅による表示が一般に行われる。しかし、点滅させるためには、例えば約１秒でカーソル７６を書き換える制御が必要である。よって、秒桁７４と同じ理由（低消費電力化、故障との誤解の回避）により、カーソル７６も通常表示モードＭ１では非表示とすることが好ましい。
【００６３】
本実施形態では、ユーザーの意思により移行した時刻調整表示モードＭ２において、カーソル７６および秒桁７４を表示させる。カーソル７６は点滅せず、例えば黒色の枠として表示される。しかし、表示モードが時刻調整表示モードＭ２であることから、時刻が見にくいといった問題は生じない。そして、カーソル７６により、ユーザーは時桁、分桁、日付など個別に変更が必要な箇所のみを調整することが可能である。
【００６４】
そして、本実施形態では、時刻調整表示モードＭ２において表示される秒桁７４には固定された数値が示される。この固定された数値は、時刻調整表示モードＭ２から通常表示モードＭ１に戻る際に、計時カウンター２の秒桁がこの数値からカウントされることをユーザーに示すものである。例えば、この数値は時刻調整表示モードＭ２に移行した時の秒カウンター２０１（図５参照）の値でもよいし、０秒であってもよい。なお、この固定された秒桁の数値に合わせて、制御部１はカウンター値調整信号１３２Ａ（図５参照）によって秒カウンター２０１の値を調整する。
【００６５】
このとき、秒桁の表示は固定されているので、余計な電力は消費せず、低温環境下で故障との誤解を与えることもない。そして、秒桁も表示されるのでユーザーは正確に時刻合わせを行うことができる。
【００６６】
なお、時刻調整表示モードＭ２では、カレンダー情報（年、月、日）、表示方式（１２時間表示、２４時間表示）等も調整可能であってもよい。しかし、ここでは時桁および分桁の調整についてのみ説明する。
【００６７】
図７（Ａ）〜図７（Ｆ）は、図６（Ｂ）の時刻調整表示モードＭ２における表示例を示す。
【００６８】
通常表示モードＭ１から時刻調整表示モードＭ２に切り替わった直後には、図７（Ａ）に示すように、時桁にカーソル７６がセットされた状態になる。タイムゾーンの異なる地域へ移動した時に、時桁のみ変更が必要な場合がある。そのような場合には、図７（Ａ）に示される状態で、例えば操作ボタンＣ、操作ボタンＤによって調整が可能である。以下において、操作ボタンＣはカーソル７６がセットされた数値をデクリメントし、操作ボタンＤは数値をインクリメントするものとする。
【００６９】
時桁のみ変更が必要な場合は、分については操作ボタンによる変更は不要であるので、制御部１は計時カウンター２を停止させることなく、カウンター値調整信号１３２Ｃ（図５参照）によって時カウンター２０３の値を調整してもよい。このとき、秒桁７４は時刻合わせに必要がないため表示されない。なお、制御部１は、時桁の変更に要した時間を例えばタイマー（図外）でカウントしておき、カウンター値調整信号１３２Ａ、１３２Ｂによって計時カウンター２を補正してもよい。
【００７０】
図７（Ａ）の状態で、ユーザーが操作ボタンＥを押すと図７（Ｂ）の状態になる（Ｃ１０）。図７（Ｂ）では、分桁にカーソル７６がセットされている。なお、再びユーザーが操作ボタンＥを押すと図７（Ａ）の状態に戻る（Ｃ２０）。
【００７１】
分桁を変更する場合には、図７（Ｂ）では秒桁が表示されていないために、ユーザーは秒桁まで含めた正確な時刻合わせができない。
【００７２】
本実施形態ではこの状態から操作ボタンＣを押すと、図７（Ｃ）のように、分桁が１分デクリメントされると共に秒桁７４に０秒を示す“００”が表示される（Ｃ１１）。これは、ユーザーが操作ボタンＡを押して通常表示モードＭ１に戻ると、０秒からカウントされることを示す。よって、ユーザーは正確な時刻合わせが可能になる。このとき、制御部１は、カウンター値調整信号１３２Ｂによって分カウンター２０２（図５参照）の値をデクリメントし、イネーブル信号１３２Ｇをローレベルとして計時カウンター２の動作を停止し、カウンター値調整信号１３２Ａによって秒カウンター２０１の値を０秒にリセットする。
【００７３】
一方、図７（Ｂ）の状態で、操作ボタンＤを押すと、図７（Ｄ）のように、分桁が１分インクリメントされると共に秒桁７４に“００”が表示される（Ｃ１２）。このときも、制御部１は計時カウンターに対して、図７（Ｃ）の場合と同様の操作を行う。
【００７４】
図７（Ｃ）、図７（Ｄ）の状態から、ユーザーが操作ボタンＥを押すとそれぞれ図７（Ｅ）、図７（Ｆ）の状態になり、再び時桁の調整が可能になる（Ｃ１３、Ｃ１４）。このとき、分桁の調整により秒カウンター２０１は０秒にリセットされているので、秒桁７４の表示“００”も継続して表示されている。なお、図７（Ｅ）、図７（Ｆ）の状態からユーザーが操作ボタンＥを押すと、それぞれ図７（Ｃ）、図７（Ｄ）の状態に戻る（Ｃ２１、Ｄ２２）。
【００７５】
なお、図７（Ａ）〜図７（Ｆ）のいずれの状態からも、ユーザーが操作ボタンＡを押すと通常表示モードＭ１に戻り、計時カウンター２の動作が再開（分桁の調整がない場合には継続）される。
【００７６】
ところで、操作ボタンの数については４つに限られない。時刻調整表示モードＭ２において、操作ボタンＣ、操作ボタンＤはそれぞれ数値のデクリメント、インクリメントに割り当てられている。しかし、時桁や分桁がループする場合には、例えばインクリメントを行う１つのボタンがあればよい。さらに、操作ボタンＡ、操作ボタンＥは、表示モードの切り替えやカーソル７６の移動に用いられているが、制御部１が操作ボタンの長押しと短押しを区別する機能を備えている場合には、１つのボタンでの操作が可能である。よって、これらの工夫により、操作ボタンは少なくとも２つあればよい。本実施形態に係る電気泳動表示装置は、外部入力手段の数が例えば２つしかない場合でも、ユーザーが正確な時刻をセットすることを可能にする。
【００７７】
１．６．駆動方法（フローチャート）
図８は、本実施形態に係る電気泳動表示装置１００の駆動方法を説明するフローチャート図である。
【００７８】
計時カウンター２は、基準信号１２０の入力があるか、つまり秒カウントがあるかを判断する（Ｓ１）。
【００７９】
Ｓ１で秒カウントがなかった場合（Ｓ１Ｎ）は、時刻調整表示モードＭ２への移行要求があるか、すなわちユーザーが操作ボタンＥを押したかどうか、を判断する（Ｓ１０）。
【００８０】
時刻調整表示モードＭ２への移行要求がある場合（Ｓ１０Ｙ）、表示モードは通常表示モードＭ１から時刻調整表示モードＭ２へと変更される（Ｓ１１）。
【００８１】
時刻調整表示モードＭ２への変更後、再びＳ１に戻る。なお、時刻調整表示モードＭ２への移行要求がなかった場合（Ｓ１０Ｎ）にもＳ１に戻る。
【００８２】
Ｓ１で秒カウントがあった場合（Ｓ１Ｙ）は、通常表示モードＭ１か時刻調整表示モードＭ２かが判断される（Ｓ２）。
【００８３】
通常表示モードＭ１の場合（Ｓ２Ｎ）には、計時カウンター２をカウントアップし（Ｓ３）、更に分桁上げがあれば表示部３の時刻表示を更新する（Ｓ４Ｙ、Ｓ５）。時刻を更新した後、再びＳ１に戻る。なお、分桁上げがない場合（Ｓ４Ｎ）にもＳ１に戻る。
【００８４】
時刻調整表示モードＭ２の場合（Ｓ２Ｙ）には、ユーザーが外部入力４４等によって計時カウンター２の値を調整する。このとき、調整の対象はカーソル７６（図７（Ａ）参照）によって指定される。まず、カーソル７６が時桁を選択しているか、分桁を選択しているかが判断される（Ｓ３０）。本実施形態では、選択の対象は操作ボタンＥで切り替えることができる。
【００８５】
時桁を調整対象とする場合（Ｓ３０Ｎ）は、操作ボタンＣ、操作ボタンＤによって時桁の数値を調整することができる（Ｓ３５）。その後、Ｓ３５の操作に要した時間分だけ計時カウンター２を補正してもよい（Ｓ３６）。ただし、分桁の調整Ｓ３１が行われた後で時桁を調整する場合には（Ｓ４０Ｎ、Ｓ３０Ｎ、Ｓ３５）、計時カウンター２が停止しており、このような補正を行う必要はない。
【００８６】
分桁を調整対象とする場合（Ｓ３０Ｙ）は、操作ボタンＣ、操作ボタンＤによって分桁の数値を調整することができる（Ｓ３１）。このとき、通常表示モードＭ１に戻った場合に０秒から計時が始まるように、秒カウンター２０１（図５参照）の値は０にリセットされて、計時カウンター２も計時を停止する（Ｓ３２）。図７（Ｃ）、図７（Ｄ）に示すように、秒桁７４には００が表示され（Ｓ３３）、明示的に０秒であることをユーザーに示す。
【００８７】
時桁又は分桁の調整後、通常表示モードＭ１への復帰要求があるか、すなわちユーザーが操作ボタンＡを押したかどうか、が判断される（Ｓ４０）。復帰要求がない場合には、ユーザーの時刻合わせが継続される（Ｓ４０Ｎ）。復帰要求がある場合（Ｓ４０Ｙ）には、表示モードは時刻調整表示モードＭ２から通常表示モードＭ１へと変更され、計時カウンター２の計時が再開（分桁の調整がない場合には継続）される（Ｓ４１）。
【００８８】
本実施形態に係る電気泳動表示装置１００の駆動方法によって、ユーザーは時刻調整の際に正確な時刻をセットすることが可能となる。
【００８９】
２．適用例
本発明の適用例について図９（Ａ）〜図９（Ｂ）を参照して説明する。前記の電気泳動表示装置１００は、様々な電子機器に適用され得る。
【００９０】
例えば、図９（Ａ）は電子機器の１つである腕時計１０００の正面図である。腕時計１０００は、時計ケース１００２と、時計ケース１００２に連結された一対のバンド１００３とを備える。時計ケース１００２の正面には、電気泳動表示装置１００からなる表示部１００４が設けられ、表示部１００４は、例えば、秒桁１０７４、カーソル１０７６を含む時刻調整表示を行う。時計ケース１００２の側面には操作ボタンＡ（１０４４）が設けられ、時計ケース１００２の正面には操作ボタンＣ（１０４６）、Ｄ（１０４７）、Ｅ（１０４８）が設けられている。これらの操作ボタンは電気泳動表示装置１００に対する外部入力として用いられる。
【００９１】
また、例えば図９（Ｂ）は電子機器の１つである携帯端末機器１１００の正面図である。携帯端末機器１１００はケース１１０２の正面に、電気泳動表示装置１００からなる表示部１１０４が設けられている。表示部１１０４は、例えば、秒桁１１７４、カーソル１１７６を含む時刻調整表示を行う。ケース１１０２の正面には操作ボタンＡ（１１４４）、Ｃ（１１４６）、Ｄ（１１４７）、Ｅ（１１４８）が設けられている。これらの操作ボタンは電気泳動表示装置１００に対する外部入力として用いられる。
【００９２】
電気泳動表示装置１００を含む電子機器は、時刻調整の際に正確な時刻をセットすることが可能である。
【００９３】
３．その他
前記の実施形態においては、電気泳動表示装置は、黒粒子および白粒子による白黒二粒子系の電気泳動が行われるものに限られず、青白等の一粒子系の電気泳動を行っても良く、また、白黒以外の組み合わせでも構わない。
【００９４】
そして、電気泳動表示装置に限らず、メモリー性の表示手段に前記の駆動方法が適用されてもよい。例えば、ＥＣＤ（Electrochromic Display＝エレクトロクロミックディスプレイ）、強誘電性液晶ディスプレイ、コレステリック液晶ディスプレイ等である。
【００９５】
さらに、前記の適用例では、腕時計に限らず、置き時計、掛け時計、懐中時計などの時計機能を有する機器に広く適用できる。
【００９６】
これらの例示に限らず、本発明は、実施の形態で説明した構成と実質的に同一の構成（例えば、機能、方法および結果が同一の構成、あるいは目的および効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００９７】
１…制御部、２…計時カウンター、３…表示部（ＥＰＤ）、４…外部入力検出部、１０…表示制御回路、１２…コントローラー、２０…マイクロカプセル、２６…黒色粒子、２７…白色粒子、３０…素子基板、３１…対向基板、３２…電気泳動素子、３５…画素電極（駆動電極）、３５Ａ…画素電極（駆動電極）、３５Ｂ…画素電極（駆動電極）、３７…共通電極、４０…画素、４０Ａ…画素、４０Ｂ…画素、４１…駆動用ＴＦＴ（Thin Film Transistor）、４４…外部入力（操作ボタンＡ）、４６…外部入力（操作ボタンＣ）、４７…外部入力（操作ボタンＤ）、４８…外部入力（操作ボタンＥ）、４９…低電位電源線（Ｖｓｓ）、５０…高電位電源線（Ｖｄｄ）、５５…共通電極配線（Ｖｃｏｍ）、６１…走査線駆動回路、６２…データ線駆動回路、６４…共通電源変調回路、６６…走査線、６８…データ線、７０…ラッチ回路、７４…秒桁、７６…カーソル、８０…スイッチ回路、９１…第１のパルス信号線（Ｓ１）、９２…第２のパルス信号線（Ｓ２）、１００…電気泳動表示装置、１２０…基準信号、１２２…時刻情報（カレンダー情報）、１２２Ａ〜１２２Ｆ…時刻情報（カレンダー情報）、１２４…外部入力情報Ａ、１２６…外部入力情報Ｃ、１２７…外部入力情報Ｄ、１２８…外部入力情報Ｅ、１３０…制御信号、１３２…制御信号、１３２Ａ〜１３２Ｆ…制御信号（カウンター値調整信号）、１３２Ｇ…制御信号（イネーブル信号）、１３４…内部信号、１６０…記憶部、２０１…秒カウンター、２０２…分カウンター、２０３…時カウンター、２０４…日・週カウンター、２０５…月カウンター、２０６…年カウンター、２１１…分桁上げ許可信号、２１２…時桁上げ許可信号、２１３…日・週桁上げ許可信号、２１４…月桁上げ許可信号、２１５…年桁上げ許可信号、２２０…秒桁上げ信号、２２１…分桁上げ信号、２２２…時桁上げ信号、２２３…日・週桁上げ信号、２２４…月桁上げ信号、２２５…年桁上げ信号、２３０…論理積回路、２３１…論理積回路、２３２…論理積回路、２３３…論理積回路、２３４…論理積回路、２３５…論理積回路、３５０…駆動電極層、３６０…電気泳動表示層、３７０…共通電極層、１０００…腕時計、１００２…時計ケース、１００３…バンド、１００４…表示部、１０４４…操作ボタンＡ、１０４６…操作ボタンＣ、１０４７…操作ボタンＤ、１０４８…操作ボタンＥ、１０７４…秒桁、１０７６…カーソル、１１００…携帯端末機器、１１０２…ケース、１１０４…表示部、１１７４…秒桁、１１７６…カーソル、１１４４…操作ボタンＡ、１１４６…操作ボタンＣ、１１４７…操作ボタンＤ、１１４８…操作ボタンＥ、Ｍ１…通常表示モード、Ｍ２…時刻調整表示モード
【図１】
2011191497.tif 000003
【図２】
2011191497.tif 000004
【図３】
2011191497.tif 000005
【図４】
2011191497.tif 000006
【図５】
2011191497.tif 000007
【図６】
2011191497.tif 000008
【図７】
2011191497.tif 000009
【図８】
2011191497.tif 000010
【図９】
2011191497.tif 000011